【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
各情報処理装置に対して割り当てられる装置秘密鍵の中から選択された複数の装置秘密鍵のそれぞれで暗号化された第２秘密鍵である暗号化秘密鍵を１つ以上含む暗号化秘密鍵セットを含む第２鍵管理情報と、前記各情報処理装置に対して割り当てられる装置秘密鍵のうちの少なくとも１つである第２装置秘密鍵とを記憶する他の情報処理装置と相互認証を行う情報処理装置であって、
前記各情報処理装置に対して割り当てられる装置秘密鍵の中から選択された複数の装置秘密鍵のそれぞれで暗号化された第１秘密鍵である暗号化秘密鍵を１つ以上含む暗号化秘密鍵セットを含む第１鍵管理情報と、前記複数の装置秘密鍵のうちの少なくとも１つである第１装置秘密鍵とを記憶する記憶手段と、
前記第１鍵管理情報に含まれる暗号化秘密鍵セットのうち、前記第１装置秘密鍵によって復号可能な少なくとも１つの暗号化秘密鍵の特定に利用する指定情報を、前記他の情報処理装置に送信する第１送信手段と、
前記第２鍵管理情報に含まれる暗号化秘密鍵セットのうち、前記指定情報により特定される暗号化秘密鍵を、前記他の情報処理装置から受信する受信手段と、
前記受信手段が受信した暗号化秘密鍵を前記第１装置秘密鍵で復号することにより、前記第２鍵管理情報に秘匿状態で含まれる前記第２秘密鍵を取得する取得手段と、
前記第２秘密鍵を用いて、前記他の情報処理装置と認証処理を行う認証手段とを備えることを特徴とする情報処理装置。
【請求項２】
前記第１送信手段は、前記指定情報と、前記第１鍵管理情報とを前記他の情報処理装置に送信し、
前記受信手段は、前記第１送信手段が送信した前記第１鍵管理情報と、前記他の情報処理装置が記憶する前記第２鍵管理情報との新旧に応じて、前記指定情報によって特定される暗号化秘密鍵を受信する
ことを特徴とする請求項１に記載の情報処理装置。
【請求項３】
前記第１送信手段は、前記指定情報と、新旧を比較可能な比較管理情報を含む前記第１鍵管理情報とを前記他の情報処理装置に送信する
ことを特徴とする請求項２に記載の情報処理装置。
【請求項４】
前記第２秘密鍵を用いて、前記受信手段が受信した暗号化秘密鍵を変換して応答データを生成する生成手段と、
前記応答データを前記他の情報処理装置に送信する第２送信手段とを更に備える
ことを特徴とする請求項１乃至３のいずれか一項に記載の情報処理装置。
【請求項５】
前記受信手段は、前記応答データに応じて、前記他の情報処理装置から、前記第２鍵管理情報の全てを更に受信する
ことを特徴とする請求項４に記載の情報処理装置。
【請求項６】
前記第１装置秘密鍵は、前記第１鍵管理情報に含まれる暗号化秘密鍵セットのうちの少なくとも１つを復号可能であって、
前記第１送信手段は、前記指定情報と、前記第１鍵管理情報とを前記他の情報処理装置に送信する
ことを特徴とする請求項４又は５に記載の情報処理装置。
【請求項７】
前記受信手段は、前記応答データに応じて、前記他の情報処理装置から、前記第２鍵管理情報の全て又は一部を更に受信し、
前記記憶手段によって記憶される前記第１鍵管理情報を、前記第２鍵管理情報に置き換える第１置換手段を更に備える
ことを特徴とする請求項６に記載の情報処理装置。
【請求項８】
前記受信手段が受信した暗号化秘密鍵が、前記第２鍵管理情報に含まれる暗号化秘密鍵セットのうちの少なくとも１つと一致するか否かを判断する判断手段を更に備え、
前記第１置換手段は、前記判断手段の判断の結果が肯定的である場合、前記記憶手段に記憶される前記第１鍵管理情報を、前記第２鍵管理情報に置き換える
ことを特徴とする請求項７に記載の情報処理装置。
【請求項９】
前記認証手段は、前記判断手段の判断の結果が否定的である場合、前記認証処理を中断する
ことを特徴とする請求項８に記載の情報処理装置。
【請求項１０】
前記記憶手段は、前記情報処理装置を一意に識別可能な第１識別情報を更に記憶しており、
各情報処理装置には、装置秘密鍵が一意に割り当てられており、
前記第１送信手段は、前記指定情報と、前記第１鍵管理情報と、前記第１識別情報とを、前記他の情報処理装置に送信し、
前記生成手段は、前記第１秘密鍵と前記第１識別情報とを用いて秘密固有鍵を生成し、  前記秘密固有鍵を用いて前記受信手段が受信した暗号化秘密鍵を変換して応答データを生成する
ことを特徴とする請求項４乃至９のいずれか一項に記載の情報処理装置。
【請求項１１】
前記記憶手段は、前記情報処理装置を一意に識別可能な第１識別情報と、前記第１鍵管理情報と前記第１識別情報を用いて生成される秘密固有鍵とを更に記憶しており、
前記判断手段の判断の結果が肯定的である場合、前記記憶手段によって記憶された前記秘密固有鍵を、前記第２鍵管理情報と前記第１識別情報とを用いて生成される秘密固有鍵に置き換える第２置換手段を更に備える
ことを特徴とする請求項４乃至９のいずれか一項に記載の情報処理装置。
【請求項１２】
前記認証手段は、前記秘密固有鍵を用いて、前記認証処理を行う
ことを特徴とする請求項１０又は１１に記載の情報処理装置。
【請求項１３】
各情報処理装置に対して割り当てられる装置秘密鍵の中から選択された複数の装置秘密鍵のそれぞれで暗号化された第２秘密鍵である暗号化秘密鍵を１つ以上含む暗号化秘密鍵セットを含む第２鍵管理情報と、前記各情報処理装置に対して割り当てられる装置秘密鍵のうちの少なくとも１つである第２装置秘密鍵とを記憶する他の情報処理装置と相互認証を行う情報処理装置であって、
前記各情報処理装置に対して割り当てられる装置秘密鍵の中から選択された複数の装置秘密鍵のそれぞれで暗号化された第１秘密鍵である暗号化秘密鍵を１つ以上含む暗号化秘密鍵セットを含む第１鍵管理情報と、前記各情報処理装置に対して割り当てられる装置秘密鍵のうちの少なくとも１つである第１装置秘密鍵とを記憶する記憶手段と、
前記第１鍵管理情報に含まれる暗号化秘密鍵セットのうち、第２装置秘密鍵によって復号可能な少なくとも１つの暗号化秘密鍵を特定する指定情報を、前記他の情報処理装置から受信する受信手段と、
前記第１鍵管理情報に含まれる暗号化秘密鍵セットのうち、前記指定情報により特定される暗号化秘密鍵を前記他の情報処理装置へ送信する第１送信手段と、
前記第１秘密鍵に基づいて、前記他の情報処理装置と暗号通信を行うための認証処理を行う認証手段とを備える
ことを特徴とする情報処理装置。
【請求項１４】
前記受信手段は、前記指定情報と、前記他の情報処理装置が利用可能な前記第２鍵管理情報とを前記他の情報処理装置から受信し、
前記受信手段が受信した前記第２鍵管理情報と、前記記憶手段に記憶された前記第１鍵管理情報との新旧を比較する第１比較手段を更に備え、
前記第１送信手段は、前記第１比較手段の比較結果に応じて、前記記憶手段によって記憶された前記第１鍵管理情報に含まれる暗号化秘密鍵セットの中から、前記指定情報によって特定される暗号化秘密鍵を前記他の情報処理装置に送信する
ことを特徴とする請求項１３に記載の情報処理装置。
【請求項１５】
前記受信手段は、前記指定情報に加え、前記他の情報処理装置が記憶する前記第２鍵管理情報と、を前記他の情報処理装置から受信する
ことを特徴とする請求項１４に記載の情報処理装置。
【請求項１６】
前記記憶手段は、新旧を比較可能な比較管理情報を含む前記第１鍵管理情報を記憶し、
前記受信手段は、前記指定情報と、新旧を比較可能な比較管理情報を含む前記第２鍵管理情報とを、前記他の情報処理装置から受信し、
前記第１比較手段は、前記受信手段が受信した前記第２鍵管理情報に含まれる比較管理情報と、前記記憶手段によって記憶された前記第１鍵管理情報に含まれる比較管理情報との新旧を比較することにより、前記第１鍵管理情報と前記第２鍵管理情報との新旧を比較する
ことを特徴とする請求項１４又は１５に記載の情報処理装置。
【請求項１７】
前記第１比較手段による比較の結果、前記第２鍵管理情報が、前記第１鍵管理情報より新しい場合、前記第１鍵管理情報を前記第２鍵管理情報へ置き換える第１置換手段を更に備える
ことを特徴とする請求項１４乃至１６のいずれか一項に記載の情報処理装置。
【請求項１８】
前記受信手段は、前記第１秘密鍵を用いて前記第１鍵管理情報に含まれる暗号化秘密鍵セットのうちの、前記指定情報によって特定される暗号化秘密鍵を変換した応答データを前記他の情報処理装置から更に受信し、
前記第１装置秘密鍵を用いて、前記第１鍵管理情報に含まれる暗号化秘密鍵セットのうちの１つを復号することにより、前記第１秘密鍵を取得する取得手段と、
前記第１秘密鍵を用いて、前記第１送信手段が送信した暗号化秘密鍵を変換して変換データを生成する生成手段と、
前記変換データと、前記応答データとを比較する第２比較手段と、
前記第２比較手段による比較の結果、前記変換データと前記応答データとが一致する場合、前記記憶手段によって記憶され且つ前記第１送信手段が送信した暗号化秘密鍵を含む前記第１鍵管理情報の全てを前記他の情報処理装置に送信する第２送信手段とを更に備える
ことを特徴とする請求項１4乃至１７のいずれか一項に記載の情報処理装置。
【請求項１９】
前記受信手段は、前記他の情報処理装置の前記指定情報に加え、前記他の情報処理装置が利用可能な前記第２鍵管理情報と、前記他の情報処理装置を一意に識別可能な第２識別情報とを前記他の情報処理装置から受信し、
前記生成手段は、前記取得手段が取得した前記第１秘密鍵及び前記第２識別情報を用いて秘密固有鍵を生成し、これを用いて、前記第１送信手段が送信した前記暗号化秘密鍵を変換した変換データを生成する
ことを特徴とする請求項１８に記載の情報処理装置。
【請求項２０】
前記記憶手段は、前記第１鍵管理情報、前記第１識別情報、及び前記第１装置秘密鍵を用いて生成される秘密固有鍵を記憶しており、
前記第１比較手段による比較の結果、前記受信手段が受信した前記第２鍵管理情報が、前記記憶手段によって記憶された前記第１鍵管理情報より新しい場合、前記記憶手段によって記憶された前記秘密固有鍵を、前記第２鍵管理情報及び前記第１識別情報を用いて生成される秘密固有鍵に置き換える第２置換手段を更に備える
ことを特徴とする請求項１９に記載の情報処理装置。
【請求項２１】
前記認証手段は、前記第１秘密鍵に基づいて生成された秘密固有鍵を用いて、前記認証処理を行う
ことを特徴とする請求項１９又は２０に記載の情報処理装置。
【請求項２２】
前記認証手段は、前記第２比較手段による比較の結果、前記変換データと前記応答データとが一致しない場合、前記認証処理を中断する
ことを特徴とする請求項１８乃至２１のいずれか一項に記載の情報処理装置。
【請求項２３】
各情報処理装置に対して割り当てられる装置秘密鍵の中から選択された複数の装置秘密鍵のそれぞれで暗号化された第２秘密鍵である暗号化秘密鍵を１つ以上含む暗号化秘密鍵セットを含む第２鍵管理情報と、前記各情報処理装置に対して割り当てられる装置秘密鍵のうちの少なくとも１つである第２装置秘密鍵とを記憶する他の情報処理装置と相互認証を行う情報処理装置で実現される情報処理方法であって、
前記情報処理装置は、前記各情報処理装置に対して割り当てられる装置秘密鍵の中から選択された複数の装置秘密鍵のそれぞれで暗号化された第１秘密鍵である暗号化秘密鍵を１つ以上含む暗号化秘密鍵セットを含む第１鍵管理情報と、前記複数の装置秘密鍵のうちの少なくとも１つである第１装置秘密鍵とを記憶する記憶手段を備え、
前記第１鍵管理情報に含まれる暗号化秘密鍵セットのうち、前記第１装置秘密鍵によって復号可能な少なくとも１つの暗号化秘密鍵の特定に利用する指定情報を、前記他の情報処理装置に送信する送信ステップと、
前記第２鍵管理情報に含まれる暗号化秘密鍵セットのうち、前記指定情報により特定される暗号化秘密鍵を、前記他の情報処理装置から受信する受信ステップと、
前記受信ステップで受信した暗号化秘密鍵を前記第１装置秘密鍵で復号することにより、前記第２鍵管理情報に秘匿状態で含まれる前記第２秘密鍵を取得する取得ステップと、
前記秘密鍵に基づいて、前記他の情報処理装置と認証処理を行う認証ステップとを含む
ことを特徴とする情報処理方法。
【請求項２４】
各情報処理装置に対して割り当てられる装置秘密鍵の中から選択された複数の装置秘密鍵のそれぞれで暗号化された第２秘密鍵である暗号化秘密鍵を１つ以上含む暗号化秘密鍵セットを含む第２鍵管理情報と、前記各情報処理装置に対して割り当てられる装置秘密鍵のうちの少なくとも１つである第２装置秘密鍵とを記憶する他の情報処理装置と相互認証を行う情報処理装置で実行される情報処理プログラムであって、
前記情報処理装置は、前記各情報処理装置に対して割り当てられる装置秘密鍵の中から選択された複数の装置秘密鍵のそれぞれで暗号化された第１秘密鍵である暗号化秘密鍵を１つ以上含む暗号化秘密鍵セットを含む第１鍵管理情報と、前記複数の装置秘密鍵のうちの少なくとも１つである第１装置秘密鍵とを記憶する記憶手段を備え、
前記第１鍵管理情報に含まれる暗号化秘密鍵セットのうち、前記第１装置秘密鍵によって復号可能な少なくとも１つの暗号化秘密鍵の特定に利用する指定情報を、前記他の情報処理装置に送信する送信ステップと、
前記第２鍵管理情報に含まれる暗号化秘密鍵セットのうち、前記指定情報により特定される暗号化秘密鍵を、前記他の情報処理装置から受信する受信ステップと、
前記受信ステップで受信した暗号化秘密鍵を前記第１装置秘密鍵で復号することにより、前記第２鍵管理情報に秘匿状態で含まれる前記第２秘密鍵を取得する取得ステップと、
前記秘密鍵に基づいて、前記他の情報処理装置と認証処理を行う認証ステップとを含む
ことを特徴とする情報処理プログラム。
【請求項２５】
各情報処理装置に対して割り当てられる装置秘密鍵の中から選択された複数の装置秘密鍵のそれぞれで暗号化された第２秘密鍵である暗号化秘密鍵を１つ以上含む暗号化秘密鍵セットを含む第２鍵管理情報と、前記各情報処理装置に対して割り当てられる装置秘密鍵のうちの少なくとも１つである第２装置秘密鍵とを記憶する他の情報処理装置と相互認証を行う情報処理装置であって、前記各情報処理装置に対して割り当てられる装置秘密鍵の中から選択された複数の装置秘密鍵のそれぞれで暗号化された第１秘密鍵である暗号化秘密鍵を１つ以上含む暗号化秘密鍵セットを含む第１鍵管理情報と、前記各情報処理装置に対して割り当てられる装置秘密鍵のうちの少なくとも１つである第１装置秘密鍵とを記憶する記憶手段を備える情報処理装置で実行される情報処理プログラムであって、
前記第１鍵管理情報に含まれる暗号化秘密鍵セットのうち、第２装置秘密鍵によって復号可能な少なくとも１つの暗号化秘密鍵を特定する指定情報を、前記他の情報処理装置から受信する受信ステップと、
前記第１鍵管理情報に含まれる暗号化秘密鍵セットのうち、前記指定情報により特定される暗号化秘密鍵を前記他の情報処理装置へ送信する送信ステップと、
前記秘密鍵に基づいて、前記他の情報処理装置と認証処理を行う認証ステップとを含む
ことを特徴とする情報処理プログラム。
【手続補正２】
【補正対象書類名】明細書
【補正対象項目名】０００７
【補正方法】変更
【補正の内容】
【０００７】
本発明は、各情報処理装置に対して割り当てられる装置秘密鍵の中から選択された複数の装置秘密鍵のそれぞれで暗号化された第２秘密鍵である暗号化秘密鍵を１つ以上含む暗号化秘密鍵セットを含む第２鍵管理情報と、前記各情報処理装置に対して割り当てられる装置秘密鍵のうちの少なくとも１つである第２装置秘密鍵とを記憶する他の情報処理装置と相互認証を行う情報処理装置であって、前記各情報処理装置に対して割り当てられる装置秘密鍵の中から選択された複数の装置秘密鍵のそれぞれで暗号化された第１秘密鍵である暗号化秘密鍵を１つ以上含む暗号化秘密鍵セットを含む第１鍵管理情報と、前記複数の装置秘密鍵のうちの少なくとも１つである第１装置秘密鍵とを記憶する記憶手段と、前記第１鍵管理情報に含まれる暗号化秘密鍵セットのうち、前記第１装置秘密鍵によって復号可能な少なくとも１つの暗号化秘密鍵の特定に利用する指定情報を、前記他の情報処理装置に送信する第１送信手段と、前記第２鍵管理情報に含まれる暗号化秘密鍵セットのうち、前記指定情報により特定される暗号化秘密鍵を、前記他の情報処理装置から受信する受信手段と、前記第１受信手段が受信した暗号化秘密鍵を前記第１装置秘密鍵で復号することにより、前記第２鍵管理情報に秘匿状態で含まれる前記第２秘密鍵を取得する取得手段と、前記第２秘密鍵を用いて、前記他の情報処理装置と認証処理を行う認証手段とを備えることを特徴とする。
【手続補正３】
【補正対象書類名】明細書
【補正対象項目名】０００８
【補正方法】変更
【補正の内容】
【０００８】
また、本発明は、各情報処理装置に対して割り当てられる装置秘密鍵の中から選択された複数の装置秘密鍵のそれぞれで暗号化された第２秘密鍵である暗号化秘密鍵を１つ以上含む暗号化秘密鍵セットを含む第２鍵管理情報と、前記各情報処理装置に対して割り当てられる装置秘密鍵のうちの少なくとも１つである第２装置秘密鍵とを記憶する他の情報処理装置と相互認証を行う情報処理装置であって、前記各情報処理装置に対して割り当てられる装置秘密鍵の中から選択された複数の装置秘密鍵のそれぞれで暗号化された第１秘密鍵である暗号化秘密鍵を１つ以上含む暗号化秘密鍵セットを含む第１鍵管理情報と、前記各情報処理装置に対して割り当てられる装置秘密鍵のうちの少なくとも１つである第１装置秘密鍵とを記憶する記憶手段と、前記第１鍵管理情報に含まれる暗号化秘密鍵セットのうち、第２装置秘密鍵によって復号可能な少なくとも１つの暗号化秘密鍵を特定する指定情報を、前記他の情報処理装置から受信する受信手段と、前記第１鍵管理情報に含まれる暗号化秘密鍵セットのうち、前記指定情報により特定される暗号化秘密鍵を前記他の情報処理装置へ送信する第１送信手段と、前記第１秘密鍵に基づいて、前記他の情報処理装置と暗号通信を行うための認証処理を行う認証手段とを備えることを特徴とする。
【手続補正４】
【補正対象書類名】明細書
【補正対象項目名】０００９
【補正方法】変更
【補正の内容】
【０００９】
また、本発明は、各情報処理装置に対して割り当てられる装置秘密鍵の中から選択された複数の装置秘密鍵のそれぞれで暗号化された第２秘密鍵である暗号化秘密鍵を１つ以上含む暗号化秘密鍵セットを含む第２鍵管理情報と、前記各情報処理装置に対して割り当てられる装置秘密鍵のうちの少なくとも１つである第２装置秘密鍵とを記憶する他の情報処理装置と相互認証を行う情報処理装置で実現される情報処理方法であって、前記情報処理装置は、前記各情報処理装置に対して割り当てられる装置秘密鍵の中から選択された複数の装置秘密鍵のそれぞれで暗号化された第１秘密鍵である暗号化秘密鍵を１つ以上含む暗号化秘密鍵セットを含む第１鍵管理情報と、前記複数の装置秘密鍵のうちの少なくとも１つである第１装置秘密鍵とを記憶する記憶手段を備え、前記第１鍵管理情報に含まれる暗号化秘密鍵セットのうち、前記第１装置秘密鍵によって復号可能な少なくとも１つの暗号化秘密鍵の特定に利用する指定情報を、前記他の情報処理装置に送信する送信ステップと、前記第２鍵管理情報に含まれる暗号化秘密鍵セットのうち、前記指定情報により特定される暗号化秘密鍵を、前記他の情報処理装置から受信する受信ステップと、前記受信ステップで受信した暗号化秘密鍵を前記第１装置秘密鍵で復号することにより、前記第２鍵管理情報に秘匿状態で含まれる前記第２秘密鍵を取得する取得ステップと、前記秘密鍵に基づいて、前記他の情報処理装置と認証処理を行う認証ステップとを含むことを特徴とする。
【手続補正５】
【補正対象書類名】明細書
【補正対象項目名】００１０
【補正方法】変更
【補正の内容】
【００１０】
また、本発明は、各情報処理装置に対して割り当てられる装置秘密鍵の中から選択された複数の装置秘密鍵のそれぞれで暗号化された第２秘密鍵である暗号化秘密鍵を１つ以上含む暗号化秘密鍵セットを含む第２鍵管理情報と、前記各情報処理装置に対して割り当てられる装置秘密鍵のうちの少なくとも１つである第２装置秘密鍵とを記憶する他の情報処理装置と相互認証を行う情報処理装置で実行される情報処理プログラムであって、前記情報処理装置は、前記各情報処理装置に対して割り当てられる装置秘密鍵の中から選択された複数の装置秘密鍵のそれぞれで暗号化された第１秘密鍵である暗号化秘密鍵を１つ以上含む暗号化秘密鍵セットを含む第１鍵管理情報と、前記複数の装置秘密鍵のうちの少なくとも１つである第１装置秘密鍵とを記憶する記憶手段を備え、前記第１鍵管理情報に含まれる暗号化秘密鍵セットのうち、前記第１装置秘密鍵によって復号可能な少なくとも１つの暗号化秘密鍵の特定に利用する指定情報を、前記他の情報処理装置に送信する送信ステップと、前記第２鍵管理情報に含まれる暗号化秘密鍵セットのうち、前記指定情報により特定される暗号化秘密鍵を、前記他の情報処理装置から受信する受信ステップと、前記受信ステップで受信した暗号化秘密鍵を前記第１装置秘密鍵で復号することにより、前記第２鍵管理情報に秘匿状態で含まれる前記第２秘密鍵を取得する取得ステップと、前記秘密鍵に基づいて、前記他の情報処理装置と認証処理を行う認証ステップとを含むことを特徴とする。
【手続補正６】
【補正対象書類名】明細書
【補正対象項目名】００１１
【補正方法】変更
【補正の内容】
【００１１】
また、本発明は、各情報処理装置に対して割り当てられる装置秘密鍵の中から選択された複数の装置秘密鍵のそれぞれで暗号化された第２秘密鍵である暗号化秘密鍵を１つ以上含む暗号化秘密鍵セットを含む第２鍵管理情報と、前記各情報処理装置に対して割り当てられる装置秘密鍵のうちの少なくとも１つである第２装置秘密鍵とを記憶する他の情報処理装置と相互認証を行う情報処理装置であって、前記各情報処理装置に対して割り当てられる装置秘密鍵の中から選択された複数の装置秘密鍵のそれぞれで暗号化された第１秘密鍵である暗号化秘密鍵を１つ以上含む暗号化秘密鍵セットを含む第１鍵管理情報と、前記各情報処理装置に対して割り当てられる装置秘密鍵のうちの少なくとも１つである第１装置秘密鍵とを記憶する記憶手段を備える情報処理装置で実行される情報処理プログラムであって、前記第１鍵管理情報に含まれる暗号化秘密鍵セットのうち、第２装置秘密鍵によって復号可能な少なくとも１つの暗号化秘密鍵を特定する指定情報を、前記他の情報処理装置から受信する受信ステップと、前記第１鍵管理情報に含まれる暗号化秘密鍵セットのうち、前記指定情報により特定される暗号化秘密鍵を前記他の情報処理装置へ送信する送信ステップと、前記秘密鍵に基づいて、前記他の情報処理装置と認証処理を行う認証ステップとを含むことを特徴とする。